(57)【要約】      （修正有）【課題】腕時計及び腕時計に適用される短距離通信信号強度を制御する強度制御方法を提供する。【解決手段】腕時計の内部に短距離通信モジュールを設けることにより、腕時計に短距離通信の機能を実現させる。また、腕時計に増幅器２４３を配置することにより、短距離通信信号の強度を増加させることができる。短距離通信信号の強度は、ユーザーの操作により増加又は減少することができる。別の態様では、腕時計の時計ケースの内部領域に磁気遮蔽層を設けることにより、腕時計の時計ケース又は他の素子の干渉を低減することができ、短距離通信信号の強度を増加させ、感知距離を増大させる。【選択図】図３Ａ
2019066470.tif 000002
【特許請求の範囲】
【請求項１】
時計ケース、底蓋、時計表面、ダイアル、前記ダイアルの表面に形成された実体の目盛り、及び前記ダイアルの上方に位置し、前記実体の目盛りと合わせて時間を表示する実体のインジケータを含む腕時計であって、
前記時計ケースが金属材質であり、前記時計表面及び前記ダイアルが非金属材質であり、
前記腕時計が短距離通信モジュールをさらに含み、
前記短距離通信モジュールが前記時計ケース内に設けられ、外部装置と短距離通信するものであり、
前記短距離通信モジュールがセキュリティチップ、コイル、及び増幅器を含み、
前記セキュリティチップがユーザーのセキュリティ情報を処理するものであり、
前記コイルが電磁波信号を伝送するものであり、
前記増幅器が前記コイルとセキュリティチップとの間に配置され、前記コイルから伝送された電磁波信号の強度を増加させることで信号受信距離を増大させる腕時計。
【請求項２】
前記短距離通信モジュールが透明導電膜及びコントローラーをさらに含み、
前記透明導電膜が前記時計表面に設けられ、ユーザーの操作を受信し、対応する検知信号を生成するものであり、
前記コントローラーが前記透明導電膜及び前記増幅器にカプリングされ、前記検知信号を受信し、前記検知信号に基づいて前記増幅器のゲインを決定するものであり、前記増幅器が前記コントローラーにより決定されたゲインに基づいて前記コイルから伝送された電磁波信号の強度を調整することで信号受信距離を調整する請求項１に記載の腕時計。
【請求項３】
前記透明導電膜が複数本の導電線を含み、これらの導電線が絡み合って複数の導電ユニットを構成し、これらの導電ユニットの相乗的な電気信号の変化が前記検知信号に対応する請求項２に記載の腕時計。
【請求項４】
前記透明導電膜が第１領域及び第２領域に分けられ、前記第１領域と該第２領域とが電気的に切断され、
前記第１領域がユーザーの操作に応じて第１検知信号を生成し、前記コントローラーが前記第１検知信号に応じて該増幅器のゲインを増大させることにより、前記コイルから伝送された電磁波信号の強度を増加させ、
前記第２領域がユーザーの操作により第２検知信号を生成し、該コントローラーが前記第２検知信号に応じて前記増幅器のゲインを減少させることにより、前記コイルから伝送された電磁波信号の強度を低減する請求項２に記載の腕時計。
【請求項５】
前記増幅器が該増幅器のゲインの調整感度を決定するプロセッサを含む請求項１に記載の腕時計。
【請求項６】
前記底蓋が金属製であり、前記底蓋の内側に該底蓋の形状及びサイズに対応する磁気遮蔽層が付着されている請求項１に記載の腕時計。
【請求項７】
時計ケース、底蓋、時計表面、ダイアル、前記ダイアルの表面に形成された実体の目盛り、及び前記ダイアルの上方に位置しかつ前記実体の目盛りと合わせて時間を表示する実体のインジケータを含む腕時計であって、
前記時計ケースが金属材質であり、前記時計表面及び前記ダイアルが非金属材質であり、
前記腕時計が短距離通信モジュールをさらに含み、
前記短距離通信モジュールが前記時計ケース内に設けられ、外部装置と短距離通信するものであり、
前記短距離通信モジュールがセキュリティチップ、コイルをさらに含み、
前記セキュリティチップがユーザーのセキュリティ情報を処理するものであり、
前記コイルが電磁波信号を伝送するものであり、
前記該腕時計が少なくとも１つの磁気遮蔽層をさらに含み、
前記磁気遮蔽層が前記時計ケースの内側表面を取り囲むように前記時計ケースの内部領域に形成され、前記磁気遮蔽層が少なくとも１つのギャップを有し、前記少なくとも１つのギャップが前記時計ケースに対して特定の方向に向かって配置される腕時計。
【請求項８】
時計ケース、底蓋、及び時計表面を含む腕時計であって、
前記時計表面がタッチ表示パネルで形成され、時間情報が前記タッチ表示パネルにより表示され、前記時計ケースが金属材質であり、前記時計表面が非金属材質であり、
前記腕時計が短距離通信モジュールをさらに含み、
前記短距離通信モジュールが前記時計ケース内に設けられ、外部装置と短距離通信するものであり、
前記短距離通信モジュールがセキュリティチップ、コイル、及び増幅器を含み、
前記セキュリティチップがユーザーのセキュリティ情報を処理するものであり、
前記コイルが電磁波信号を伝送するものであり、
前記増幅器が前記コイルとセキュリティチップとの間に設けられ、前記コイルから伝送された電磁波信号の強度を増加させることで信号受信距離を増大させる腕時計。
【請求項９】
前記増幅器が該増幅器のゲインの調整感度を決定するプロセッサを含む請求項８に記載の腕時計。
【請求項１０】
前記底蓋が金属製であり、前記底蓋内側に前記底蓋の形状及びサイズに対応する磁気遮蔽層が付着されている請求項８に記載の腕時計。
【請求項１１】
時計ケース、底蓋、及び時計表面を含む腕時計であって、
前記時計表面がタッチ表示パネルで形成され、時間情報が前記タッチ表示パネルにより表示され、前記時計ケースが金属材質であり、前記時計表面が非金属材質であり、
前記腕時計が短距離通信モジュールをさらに含み、
前記短距離通信モジュールが前記時計ケース内に設けられ、外部装置と短距離通信するものであり、
前記短距離通信モジュールがセキュリティチップ及びコイルを含み、
前記セキュリティチップがユーザーのセキュリティ情報を処理するものであり、
前記コイルが電磁波信号を伝送するものであり、
前記腕時計が少なくとも１つの磁気遮蔽層をさらに含み、
前記磁気遮蔽層が前記時計ケースの内側表面を取り囲むように前記時計ケースの内部領域に形成され、前記磁気遮蔽層が少なくとも１つのギャップを有し、前記少なくとも１つのギャップが前記時計ケースに対して特定の方向に向かって配置される腕時計。
【請求項１２】
腕時計に適用される短距離通信信号の強度制御方法であって、
前記腕時計が時計ケース、底蓋、時計表面、ダイアル、前記ダイアルの表面に形成された実体の目盛り、及び前記ダイアルの上方に位置し前記実体の目盛りと合わせて時間を表示する実体のインジケータを含み、前記方法は、
コイル及びセキュリティチップを前記時計ケース内に設け、前記セキュリティチップにより前記コイルから伝送された電磁波信号を解読し、外部装置と短距離通信するステップと、
増幅器を前記コイルとセキュリティチップとの間に設け、前記増幅器により前記コイルから伝送された電磁波信号の強度を増加させることで信号受信距離を増大させるステップと、を含む方法。
【請求項１３】
前記時計表面上に透明導電膜を設け、前記透明導電膜によりユーザーの操作を受信し、対応する検知信号を生成するステップと、
前記検知信号に応じて前記増幅器のゲインを決定するステップと、
前記増幅器により、決定されたゲインに応じて前記コイルから伝送された電磁波信号の強度を調整するステップと、をさらに含む請求項１２に記載の方法。
【請求項１４】
前記透明導電膜を、互いに電気的に切断される第１領域及び第２領域に画定するステップと、
ユーザーの前記第１領域に対する操作により生成した第１検知信号を受信し、前記第１検知信号に応じて前記コイルから伝送された電磁波信号の強度を増加させるステップと、
ユーザーの前記第２領域に対する操作により生成した第２検知信号を受信し、前記第２検知信号に応じて前記コイルから伝送された電磁波信号の強度を減少させるステップと、をさらに含む請求項１３に記載の方法。
【請求項１５】
腕時計に適用される短距離通信信号の強度制御方法であって、
前記腕時計が時計ケース、底蓋、時計表面、ダイアル、前記ダイアルの表面上に形成された実体の目盛り、前記ダイアルの上方に位置し前記実体の目盛りと合わせて時間を表示する実体のインジケータを含み、前記方法は、
コイル及びセキュリティチップを前記時計ケース内に設け、前記セキュリティチップにより前記コイルから伝送された電磁波信号を解読し、外部装置と短距離通信するステップと、
磁気遮蔽層の数、形状、及び配置方式によって変化する、磁気遮蔽層の複数の設置組合せを提供するステップと、
各設置組合せの磁気遮蔽層を前記時計ケースの内側表面を取り囲むように前記時計ケースの内部領域に配置し、前記短距離通信信号の強度分布を測定するステップと、
測定された強度分布から選定強度分布及び該選定強度分布に対応する磁気遮蔽層の設置組合せを決定するステップと、を含む方法。
【請求項１６】
腕時計に適用される短距離通信信号の強度制御方法であって、
前記腕時計が時計ケース、底蓋、及び時計表面を含み、前記時計表面がタッチ表示パネルで形成され、時間情報が前記タッチ表示パネルにより表示され、前記時計ケースが金属材質であり、前記時計表面が非金属材質であり、前記方法は、
コイル及びセキュリティチップを前記時計ケース内に設け、前記セキュリティチップにより前記コイルから伝送された電磁波信号を解読し、外部装置と短距離通信するステップと、
増幅器を前記コイルとセキュリティチップとの間に設け、前記増幅器により前記コイルから伝送された電磁波信号の強度を増加させ、信号受信距離を増大させるステップと、を含む方法。
【請求項１７】
腕時計に適用される短距離通信信号の強度制御方法であって、
前記腕時計が時計ケース、底蓋、及び時計表面を含み、前記時計表面がタッチ表示パネルで形成され、時間情報が前記タッチ表示パネルにより表示され、前記時計ケースが金属材質であり、前記時計表面が非金属材質であり、前記方法は、
コイル及びセキュリティチップを前記時計ケース内に設け、前記セキュリティチップにより前記コイルから伝送された電磁波信号を解読し、外部装置と短距離通信するステップと、
磁気遮蔽層の数、形状、及び配置方式によって変化する、磁気遮蔽層の複数の設置組合せを提供するステップと、
各設置組合せの磁気遮蔽層を前記時計ケースの内側表面を取り囲むように前記時計ケースの内部領域に設け、前記短距離通信の信号の強度分布を測定するステップと、
測定された強度分布から選定強度分布及び該選定強度分布に対応する磁気遮蔽層の設置組合せを選択するステップと、を含む方法。
【発明の詳細な説明】
【技術分野】
【０００１】
本発明は、腕時計に関し、特に短距離通信を可能とする腕時計に関する。
【背景技術】
【０００２】
現在、短距離通信（ｓｈｏｒｔ  ｄｉｓｔａｎｃｅ  ｃｏｍｍｕｎｉｃａｔｉｏｎ）は、様々な分野に幅広く使用されている。一般的な短距離通信技術は、例えば、無線周波数識別（ｒａｄｉｏ  ｆｒｅｑｕｅｎｃｙ  ｉｄｅｎｔｉｆｉｃａｔｉｏｎ，ＲＦＩＤ）／近距離無線通信（ｎｅａｒ  ｆｉｅｌｄ  ｃｏｍｍｕｎｉｃａｔｉｏｎ，ＮＦＣ）である。
【０００３】
現在、短距離通信モジュールと結合して使用されることにより短距離通信の機能を実現する電子装置（例えば、スマートフォン）がある。しかし、このような電子装置では、内部素子の配置や金属ハウジングの使用により、通信信号が干渉されやすいことから、短距離通信の実現が困難となる場合がある。
【０００４】
例えば、従来の腕時計が短距離通信機能と結合した製品は未だに存在しない。従来の腕時計は、短距離通信信号をシールドしやすい材質（例えば、金属）をハウジングとして使用したり、短距離通信信号を干渉しやすい電気駆動モータを採用したりしているため、従来の腕時計に短距離通信機能を実現させることは問題となり、克服する必要がある技術課題がある。
【０００５】
また、市販されている種々のカードリーダーの読み取り可能な範囲が異なり、装置から送信される短距離通信信号が弱すぎると、カードリーダーは信号を読み取ることができないが、送信される短距離通信信号が強すぎると、セキュリティ上の懸念がある。また、装置から送信する短距離通信信号とカードリーダーとの互換性も当分野では克服する必要がある技術問題である。
【０００６】
そのため、従来技術における上記問題に対する解決策を提供する必要がある。
【発明の概要】
【発明が解決しようとする課題】
【０００７】
本発明は、腕時計及び腕時計に適用される短距離通信信号の強度制御方法を提供し、短距離通信信号の強度を制御することができる。
【０００８】
本発明の一態様では、腕時計を提供する。該腕時計は、時計ケース、底蓋、時計表面、ダイアル、該ダイアルの表面に形成された実体の目盛り、及び該ダイアルの上方に位置し該実体の目盛りと合わせて時間を表示する実体のインジケータを含む。該時計ケースは金属材質であり、該時計表面及び該ダイアルは非金属材質である。該腕時計は、短距離通信モジュールをさらに含む。該短距離通信モジュールは、該時計ケース内に設けられ、外部装置と短距離通信するものである。該短距離通信モジュールは、セキュリティチップ、コイル及び増幅器を含み、該セキュリティチップは、ユーザーのセキュリティ情報を処理するものであり、該コイルは、電磁波信号を伝送するものであり、該増幅器は、該コイルとセキュリティチップとの間に設けられ、該コイルから伝送された電磁波信号の強度を増加させることで信号受信距離を増大させるものである。
【０００９】
本発明の別の態様では、腕時計を提供する。該腕時計は、時計ケース、底蓋、時計表面、ダイアル、該ダイアルの表面に形成された実体の目盛り、及び該ダイアルの上方に位置し該実体の目盛りと合わせて時間を表示する実体のインジケータを含む。該時計ケースは金属材質であり、該時計表面及び該ダイアルは非金属材質である。該腕時計は、短距離通信モジュールをさらに含み、該短距離通信モジュールは、該時計ケース内に設けられ、外部装置と短距離通信するものである。該短距離通信モジュールは、セキュリティチップ及びコイルを含み、該セキュリティチップはユーザーのセキュリティ情報を処理するものであり、該コイルは電磁波信号を伝送するものである。該腕時計は、磁気遮蔽層をさらに含む。該磁気遮蔽層は、該時計ケースの内側表面を取り囲むように該時計ケースの内部領域に形成される。該磁気遮蔽層は少なくとも１つのギャップを有し、該少なくとも１つのギャップは、該時計ケースに対して特定の方向に向かって配置される。
【００１０】
本発明のさらなる態様では、腕時計を提供する。該腕時計は、時計ケース、底蓋、及び時計表面を含む。該時計表面は、タッチ表示パネルで形成され、時間情報が該タッチ表示パネルにより表示される。該時計ケースは金属材質であり、該時計表面は非金属材質である。該腕時計は、短距離通信モジュールをさらに含み、該短距離通信モジュールは、該時計ケース内に設けられ、外部装置と短距離通信するものである。該短距離通信モジュールは、セキュリティチップ、コイル、及び増幅器を含み、該セキュリティチップは、ユーザーのセキュリティ情報を処理するものであり、該コイルは、電磁波信号を伝送するものであり、該増幅器は、該コイルとセキュリティチップとの間に設けられ、該コイルから伝送された電磁波信号の強度を増加させることで信号受信距離を増大させるものである。
【００１１】
本発明のさらなる態様では、腕時計を提供する。該腕時計は、時計ケース、底蓋、及び時計表面を含む。該時計表面は、タッチ表示パネルで形成され、時間情報が該タッチ表示パネルにより表示される。該時計ケースは金属材質であり、該時計表面は非金属材質である。該腕時計は、短距離通信モジュールをさらに含み、該短距離通信モジュールは、該時計ケース内に設けられ、外部装置と短距離通信するものである。該短距離通信モジュールは、セキュリティチップ及びコイルを含み、該セキュリティチップは、ユーザーのセキュリティ情報を処理するものであり、該コイルは、電磁波信号を伝送するものである。該腕時計は、少なくとも１つの磁気遮蔽層をさらに含む。該磁気遮蔽層は、該時計ケースの内側表面を取り囲むように該時計ケースの内部領域に形成される。該磁気遮蔽層は、少なくとも１つのギャップを有し、該少なくとも１つのギャップは、該時計ケースに対して特定の方向に向かって配置される。
【００１２】
本発明のさらなる態様では、腕時計に適用される短距離通信信号の強度制御方法を提供する。該腕時計は、時計ケース、底蓋、時計表面、ダイアル、該ダイアルの表面に形成された実体の目盛り、及び該ダイアルの上方に位置し該実体の目盛りと合わせて時間を表示する実体のインジケータを含む。該方法は、コイル及びセキュリティチップを該時計ケース内に設け、該セキュリティチップにより該コイルから伝送された電磁波信号を解読し、外部装置と短距離通信するステップと、増幅器を該コイルとセキュリティチップとの間に設け、該増幅器により該コイルから伝送された電磁波信号の強度を増加させることで信号受信距離を増大させるステップと、を含む。
【００１３】
本発明のさらなる態様では、腕時計に適用される短距離通信信号の強度制御方法を提供する。該腕時計は、時計ケース、底蓋、時計表面、ダイアル、該ダイアルの表面に形成された実体の目盛り、及び該ダイアルの上方に位置し該実体の目盛りと合わせて時間を表示する実体のインジケータを含む。該方法は、コイル及びセキュリティチップを該時計ケース内に設け、該セキュリティチップにより該コイルから伝送された電磁波信号を解読し、外部装置と短距離通信するステップと、磁気遮蔽層の数、形状、及び配置方式によって変化する、磁気遮蔽層の複数の設置組合せを提供するステップと、各設置組合せの磁気遮蔽層を該時計ケースの内側表面を取り囲むように該時計ケースの内部領域に設け、該短距離通信信号の強度分布を測定するステップと、測定された強度分布から選定強度分布及び該選定強度分布に対応する磁気遮蔽層の設置組合せを決定するステップと、を含む。
【００１４】
本発明のさらなる態様では、腕時計に適用される短距離通信信号の強度制御方法を提供する。該腕時計は、時計ケース、底蓋、及び時計表面を含む。該時計表面は、タッチ表示パネルで形成され、時間情報が該タッチ表示パネルにより表示される。該時計ケースは金属材質であり、該時計表面は非金属材質である。該方法は、コイル及びセキュリティチップを該時計ケース内に設け、該セキュリティチップにより該コイルから伝送された電磁波信号を解読し、外部装置と短距離通信するステップと、増幅器を該コイルとセキュリティチップとの間に設け、該増幅器により該コイルから伝送された電磁波信号の強度を増加させることで信号受信距離を増大させるステップと、を含む。
【００１５】
本発明のさらなる態様では、腕時計に適用される短距離通信信号の強度制御方法を提供する。該腕時計は、時計ケース、底蓋、及び時計表面を含む。該時計表面は、タッチ表示パネルで形成され、時間情報が該タッチ表示パネルにより表示される。該時計ケースは金属材質であり、該時計表面は非金属材質である。該方法は、コイル及びセキュリティチップを該時計ケース内に設け、該セキュリティチップにより該コイルから伝送された電磁波信号を解読し外部装置と短距離通信するステップと、磁気遮蔽層の数、形状、及び配置方式によって変化する、磁気遮蔽層の複数の設置組合せを提供するステップと、各設置組合せの磁気遮蔽層を該時計ケースの内側表面を取り囲むように該時計ケースの内部領域に設け、該短距離通信信号の強度分布を測定するステップと、測定された強度分布から選定強度分布及び該選定強度分布に対応する磁気遮蔽層の設置組合せを決定するステップと、を含む。
【００１６】
本発明は、腕時計の内部に短距離通信モジュールを設けることにより腕時計に短距離通信の機能を実現させる。また、腕時計に増幅器を配置することにより、短距離通信信号の強度を増加させることができる。いくつかの実施例において、短距離通信信号の強度は、ユーザーの操作により増加又は低下することもできる。また、腕時計の時計ケースの内部領域に磁気遮蔽層を設けることにより、腕時計の時計ケース又は他の素子による干渉を低減することができ、短距離通信信号の強度を増加させ、感知距離を増大させることもできる。
【図面の簡単な説明】
【００１７】
【図１】図１は、本発明の実施例の腕時計の平面図である。
【図２】図２は、本発明の実施例の腕時計の側面図である。
【図３Ａ】図３Ａは、本発明の一実施例の腕時計における短距離通信モジュールの模式図である。
【図３Ｂ】図３Ｂは、本発明の別の実施例の腕時計における短距離通信モジュールの模式図である。
【図４】図４は、本発明の別の実施例の腕時計における短距離通信モジュールの模式図である。
【図５】図５は、本発明の別の実施例の腕時計の透明導電膜の模式図である。
【図６】図６は、本発明の別の実施例の腕時計の模式図である。
【図７】図７は、本発明の別の実施例の腕時計の模式図である。
【図８】図８は、本発明の別の実施例の腕時計の模式図である。
【図９】図９は、本発明の実施例の腕時計に適用される短距離通信信号の強度制御方法のフローチャートである。
【図１０】図１０は、本発明の別の実施例の腕時計に適用される短距離通信信号の強度制御方法のフローチャートである。
【図１１】図１１は、本発明の別の実施例の腕時計に適用される短距離通信信号の強度制御方法のフローチャートである。
【図１２】図１２Ａ〜１２Ｃは、本発明の実施例の異なるタイプの磁気遮蔽層の模式図である。
【発明を実施するための形態】
【００１８】
以下、本発明の目的、技術案及び効果をより明らかで、明確にするために、本発明について図面を参照し実施例を挙げながらより詳細に説明する。よく理解できるように、ここに記述した具体的な実施例は本発明を解釈するためのものであり、本発明の明細書で用いた用語「実施例」とは実例、示例又は例証として用いることを意味し、本発明を限定するためのものではない。また、本発明の明細書及び添付した特許請求の範囲で用いた冠詞「一」は、別に指定しない、又は文脈から単数形式であると明らかに確定できない限り、一般に「一つ又は複数」であると解釈できる。
【００１９】
本発明は、腕時計を提供する。該腕時計は、その内部に短距離通信（ｓｈｏｒｔ  ｄｉｓｔａｎｃｅ  ｃｏｍｍｕｎｉｃａｔｉｏｎ）モジュールが設けられることにより、短距離通信方式により他の電子装置と通信することができる。該短距離通信モジュールは、無線周波数識別（ｒａｄｉｏ  ｆｒｅｑｕｅｎｃｙ  ｉｄｅｎｔｉｆｉｃａｔｉｏｎ，ＲＦＩＤ）／近距離無線通信（ｎｅａｒ  ｆｉｅｌｄ  ｃｏｍｍｕｎｉｃａｔｉｏｎ，ＮＦＣ）モジュールを含むが、これらに制限されない。
【００２０】
図１は、本発明の実施例の腕時計の平面図であり、図２は、本発明の実施例の腕時計の側面図である。図１及び図２に示すように、腕時計１０は、時計ケース１２、時計表面１４、ダイアル（ｄｉａｌ）１６、底蓋１７、ダイアル１６の表面に形成された実体の目盛り１８、及びダイアル１６の上方に位置し該実体の目盛り１８と合わせて時間を表示する実体のインジケータ２０を含む。時計ケース１２、時計表面１４、及び底蓋１７により収容空間が画定される。腕時計１０は、該収容空間内に設けられたムーブメント２２及び短距離通信モジュール２４をさらに含む。
【００２１】
実体のインジケータ２０は、例えば、時針、分針及び秒針、又は他の特定の用途の指針である。実体のインジケータ２０は、ムーブメント２２により駆動されてダイアル１６上の実体の目盛り１８と合わせて、例えば、時間情報を表示する。時計表面１４は透明材質であり、ユーザーは透明な時計表面１４を介して実体のインジケータ２０の指示した目盛り位置（即ち、時間情報）を認識することができる。
【００２２】
好ましくは、時計ケース１２は金属材質であり、時計表面１４及びダイアル１６は非金属材質であり、例えば、ダイアル１６はプラスチック材質であり、時計表面１４は透明なプラスチック又はガラス材質である。このような材料を使用することにより、短距離通信信号に対するシールド又は干渉を避けることができる。なお、材料はこの限りではない。原則的には、腕時計１０のハウジングに金属材質又は短距離通信信号をシールド又は吸収する材料を使用しない箇所があればよい。好ましくは、時計ケース１２及び底蓋１７は金属材質であり、時計表面１４及びダイアル１６は非金属材質である。
【００２３】
図３Ａは、本発明一実施例の腕時計における短距離通信モジュールの模式図である。短距離通信モジュール２４は、コイル２４１及びセキュリティチップ２４２を含む。コイル２４１は、電磁波信号を伝送するものであり、セキュリティチップ２４２は、ユーザーのセキュリティ情報を処理するものである。具体的には、セキュリティチップ２４２が外部装置に信号を送信するときに、コイル２４１に経時変化の電流が加えられ、電磁波信号を生成する。或いは、外部装置がセキュリティチップ２４２に信号を送信するときに、コイル２４１は、外部の電磁波信号により経時変化の電流を生成し、これによって、セキュリティチップ２４２は、外部装置からの信号を受信することができる。つまり、腕時計１０における短距離通信モジュール２４は、電磁波信号（即ち、短距離通信信号）を伝送することにより外部の電子装置と通信する。
【００２４】
ここで、上記伝送（ｔｒａｎｓｍｉｔｔｉｎｇ）とは、単純な送信（ｓｅｎｄｉｎｇ）、単純な受信（ｒｅｃｅｉｖｉｎｇ）、又は送受信（ｔｒａｎｓｃｅｉｖｉｎｇ）（即ち、送信及び受信）の動作をいう。
【００２５】
一実施例において、短距離通信モジュール２４は、増幅器２４３を含む。増幅器２４３は、コイル２４１とセキュリティチップ２４２との間に設けられ、コイル２４１から伝送された電磁波信号の強度を増加させることで信号受信距離を増大させるものである。具体的には、セキュリティチップ２４２がコイル２４１を介して電磁波信号を送信するときに、セキュリティチップ２４２からコイル２４１への電流がまず増幅器２４３により増幅される。或いは、セキュリティチップ２４２がコイル２４１を介して電磁波信号を受信するときに、コイル２４１により生成した電流は、まず増幅器２４３により増幅されてからセキュリティチップ２４２に送信される。
【００２６】
このようにして、コイル２４１から伝送された電磁波信号の強度が増幅器２４３により増加されるため、短距離通信信号が腕時計１０の金属時計ケース１２によりシールドされるか、又は腕時計１０の内部素子（例えば、電気駆動モータ）により干渉されて減衰する問題を克服することができる。
【００２７】
図３Ｂは、本発明の別の実施例の腕時計における短距離通信モジュールの模式図である。この実施例において、増幅器２４３は、プロセッサ２４６を含み、プロセッサ２４６は、増幅器２４３のゲインの調整感度を決定することができる。例えば、増幅器２４３のゲインが調整可能であり（詳細は、後述）、プロセッサ２４６は、ユーザーが調整を行うたびに、増幅器２４３により増加又は減少される電磁波信号の強度を決定することができる。
【００２８】
図４は、本発明の別の実施例の腕時計における短距離通信モジュールの模式図である。図５は、本発明の別の実施例の腕時計における透明導電膜の模式図である。図４、５に示すように、別の実施例において、増幅器２４３のゲインを調整することによりコイル２４１から伝送された電磁波信号の強度を増加又は減少させることができる。図４に示すように、短距離通信モジュール２４は、コントローラー２４４及び透明導電膜２４５をさらに含む。透明導電膜２４５は、時計表面１４上に設けられ、ユーザーの操作を受信し、対応する検知信号を生成するものである。コントローラー２４４は、透明導電膜２４５及び増幅器２４３にカップリングされ、該検知信号を受信し、該検知信号に応じて増幅器２４３のゲインを決定する。増幅器２４３は、コントローラー２４４により決定されたゲインに応じてコイル２４１から伝送された電磁波信号の強度を調整（増加又は減少）する。
【００２９】
図５に示すように、透明導電膜２４５は、格子状の導電膜であるが、実際には、極めて細い金属線で形成された格子状であるため、時計表面１４に配置されていても、ユーザーは実体のインジケータ２０の指示した位置が見える。透明導電膜２４５は、第１領域５１及び第２領域５２に分けられ、第１領域５１と第２領域５２とは電気的に切断される。例えば、第１領域５１は、時計表面１４の上半部に対応し、第２領域５２は、時計表面１４の下半部に対応する。透明導電膜２４５は、第１領域５１及び第２領域５２のそれぞれに複数本の導電線５０１を有し、これらの導電線５０１が絡み合って複数の導電ユニット５０２を構成する。各領域におけるすべての導電ユニット５０２の相乗的な電気信号（例えば、電圧信号又は電流信号）変化は、該領域に対して実行したタッチ又は接近動作により生成されるものであり、この相乗的な電気信号変化は、該検知信号とされることができる。第１領域５１及び第２領域５２の透明導電膜は、それぞれコントローラー２４４に接続され、コントローラー２４４は、検知信号が第１領域５１と第２領域５２のどちらから生成されたかを識別することができる。
【００３０】
本発明の属する技術分野の当業者であれば、上記の透明導電膜２４５によりユーザー操作を感知する技術は、従来のタッチパネルにおける、タッチ操作を感知する技術、及び従来のディスプレイパネルにおける、画素電極の配置により映像を表示する技術と異なることを理解できるであろう。
【００３１】
一つの応用シナリオでは、ユーザーが時計表面１４の上半部（即ち、第１領域５１）を長押しすることにより、短距離通信モジュール２４をオンにし、短距離通信をオンにすることができる一方、ユーザーが時計表面１４の下半部（即ち、第２領域５２）を短時間押しすることにより、短距離通信モジュール２４をオフにし、即ち短距離通信をオフにすることができる。短距離通信機能がオンにされているときに、ユーザーが時計表面１４の上半部を１回押すと、増幅器２４３のゲインが増加され、コイル２４１から伝送された電磁波信号の強度が増加される一方、ユーザーが時計表面１４の下半部を１回押すと、増幅器２４３のゲインが減少され、コイル２４１から伝送された電磁波信号の強度が減少される。
【００３２】
このようにして、ユーザーが腕時計１０の時計表面１４に対してクリック操作すれば、短距離通信信号の強度を増加又は減少させることができる。信号強度が十分でない場合に、信号強度を増加させ、リーダーとの互換性の問題を解決することができる。リーダーとの通信が可能となった場合に、ユーザーが信号強度を減少させることにより、通信の安全性を高め、レコードされるリスクを回避することができる。
【００３３】
図６は、本発明の別の実施例の腕時計の模式図である。別の実施例において、時計ケース（例えば、金属材質）１２の短距離通信モジュール２４に対する影響を低減するために、本実施例の腕時計１０には磁気遮蔽層６０、例えば、磁気シートが設けられている。磁気遮蔽層６０は、電磁波信号をガイドするか、又は部分的に電磁波信号を吸収することで、電磁波干渉を抑制する効果を達する。磁気遮蔽層６０は、時計ケース１２の内側表面を取り囲むように時計ケース１２の内部領域に形成される。磁気遮蔽層６０は、少なくとも１つのギャップ６２を有し、ギャップ６２は時計ケース１２に対して特定の方向に向かって配置される。ギャップ６２の数は制限されないが、２つ以上のギャップ６２がそれぞれの特定方向に沿って配置されてもよい。
【００３４】
短距離通信信号は、異なる腕時計製品によって強度分布が異なる。この強度分布は、腕時計内部の電気駆動装置（例えば、電気モーター）及び／又は腕時計全体の構造配置により影響を受けることがある。本発明の実施例では、試行錯誤により外部で測定可能な最も強い短距離通信信号の強度に対応する、磁気遮蔽層６０のギャップ６２の最適な配置方向を探すことができる。それによって、短距離通信信号の強度を増加させ、感知距離を増大させることができ、短距離通信の機能を腕時計に結合させることが実現される。
【００３５】
一実施例において、増幅器２４３を設けた上で上記磁気遮蔽層６０を配置することにより、短距離通信信号の強度増加をより良く実現することができる。別の実施例において、増幅器２４３及び透明導電膜２４５を設けた上で、上記磁気遮蔽層６０を配置することにより、短距離通信信号の強度調整をより良く実現することができる。
【００３６】
図７は、本発明の別の実施例の腕時計の模式図である。この実施例において、底蓋１７は金属材質であり、底蓋１７の内側に磁気遮蔽層６４が付着されている。磁気遮蔽層６４は、底蓋１７の内側における時計表面１４に向かう面に設けられる。底蓋１７内側の磁気遮蔽層６４は、基本的に底蓋１７の形状及びサイズに対応して設けられる。
【００３７】
一実施例において、時計ケース１２に付着された磁気遮蔽層６０及び底蓋１７に付着された磁気遮蔽層６４を同時に設けてもよい。このようにして、電磁波干渉の抑制効果をより良く達成し、短距離通信の機能を実現することができる。
【００３８】
本発明の概念は、上述した実体のインジケータ（例えば、実体の分針、時針、又は秒針）を有する腕時計に限られず、時間を表示するディスプレイ（例えば、液晶ディスプレイ及び有機発光ダイオードディスプレイ）を有する腕時計にも適用できる。図８に示すように、腕時計１０’は、時計ケース１２、底蓋１７、及び時計表面１４を含む。腕時計１０’は、タッチ表示パネル２１及び短距離通信モジュール２４をさらに含む。時計表面１４は、タッチ表示パネル２１で形成され、タッチ表示パネル２１は時間を表示することができる。短距離通信モジュール２４は、時計ケース１２、底蓋１７、及び時計表面１４で形成された収容空間内に設けられている。本発明の概念に基づいて、腕時計１０’は、上記増幅器を有することができ、時計ケース１２及び／又は底蓋１７の内側表面に磁気遮蔽層を配置することもできる。
【００３９】
図９は、本発明の実施例の腕時計に適用される短距離通信信号の強度制御方法のフローチャートである。図９及び上記に記載されているように、該方法は以下のステップを含む。
【００４０】
ステップＳ７０：コイル２４１及びセキュリティチップ２４２を時計ケース１２内に設け、セキュリティチップ２４２によりコイル２４１から伝送された電磁波信号を解読し、外部装置と短距離通信する。
【００４１】
ステップＳ７２：増幅器２４３をコイル２４１とセキュリティチップ２４２との間に設け、増幅器２４３によりコイル２４１から伝送された電磁波信号の強度を増加させることで信号受信距離を増大させる。
【００４２】
この方法では、腕時計の内部に短距離通信モジュール２４（コイル２４１及びセキュリティチップ２４２を含む）を配置すると共に、増幅器２４３により短距離通信信号の強度を増加させて感知強度を増加させることで、短距離通信を腕時計製品に実現させる。
【００４３】
図９に示される実施例は、実体の時針を有する腕時計１０に適用でき、タッチ表示パネル２１により時間を表示する腕時計１０’にも適用できる。
【００４４】
図１０は、本発明の別の実施例の腕時計に適用される短距離通信信号の強度制御方法のフローチャートである。図１０及び上記に記載されているように、該方法は以下のステップを含む。
【００４５】
ステップＳ８０：コイル２４１及びセキュリティチップ２４２を時計ケース１２内に設け、セキュリティチップ２４２によりコイル２４１から伝送された電磁波信号を解読し、外部装置と短距離通信する。
【００４６】
ステップＳ８２：増幅器２４３をコイル２４１とセキュリティチップ２４２との間に設け、増幅器２４３によりコイル２４１から伝送された電磁波信号の強度を増加させることで信号受信距離を増大させる。
【００４７】
ステップＳ８０、Ｓ８２は、上記ステップＳ７０、Ｓ７２に対応するので、説明を省略する。
【００４８】
ステップＳ８４：時計表面１４上に透明導電膜２４５を設け、透明導電膜２４５によりユーザーの操作を受信し、対応する検知信号を生成する。
【００４９】
ステップＳ８６：該検知信号に応じて増幅器２４３のゲインを決定する。このステップでは、コントローラー２４４は、該検知信号を受信し、該検知信号に応じて増幅器２４３のゲインを決定する。
【００５０】
ステップＳ８８：増幅器２４３により、決定されたゲインに応じてコイル２４１から伝送された電磁波信号の強度を調整する。このステップにおいて、増幅器２４３は、コントローラー２４４によって決定されたゲインに応じてコイル２４１から伝送された電磁波信号の強度を調整（増加又は減少）する。
【００５１】
この方法では、透明導電膜２４５を互いに電気的に切断される第１領域５１及び第２領域５２にさらに画定することができる。ユーザーの第１領域５１又は第２領域５２に対する操作に応じて、短距離通信信号の強度を増加又は減少させることができる。上記方法は、
透明導電膜２４５を互いに電気的に切断される第１領域５１及び第２領域５２に画定するステップと、
ユーザーの第１領域５１に対する操作により生成した第１検知信号を受信し、該第１検知信号に応じてコイル２４１から伝送された電磁波信号の強度を増加させるステップと、
ユーザーの第２領域５２に対する操作により生成した第２検知信号を受信し、該第２検知信号に応じてコイル２４１から伝送された電磁波信号の強度を減少させるステップと、をさらに含む。
【００５２】
図１１は、本発明の別の実施例の腕時計に適用される短距離通信信号の強度制御方法のフローチャートである。図１１及び上記に記載されているように、該方法は以下のステップを含む。
【００５３】
ステップＳ９０：コイル２４１及びセキュリティチップ２４２を時計ケース１２内に設け、セキュリティチップ２４２によりコイル２４１から伝送された電磁波信号を解読し、外部装置と短距離通信する。
【００５４】
ステップＳ９０は、ステップＳ７０又はＳ８０に対応するので、説明を省略する。
【００５５】
ステップＳ９２：磁気遮蔽層６０の複数の設置組合せを提供する。これらの磁気遮蔽層６０の設置組合せは、磁気遮蔽層６０の数、形状及び配置方式によって変化する。上記のように、磁気遮蔽層６０は、電磁波信号をガイドするか、又は部分的に電磁波信号を吸収することで、電磁波干渉を抑制する効果を達する。このステップでは、たくさんの磁気遮蔽層の設置組合せが提供され、これらの組合せは、例えば、図１２Ａ〜１２Ｃに示される。これらの組合せは、例えば、磁気遮蔽層の材質及び形状、磁気遮蔽層の数、形成されたギャップの数、磁気遮蔽層の配置方式、又はギャップの配置方向等を考慮して設計されることができる。
【００５６】
ステップＳ９４：各設置組合せの磁気遮蔽層を時計ケース１２の内側表面を取り囲むように該時計ケース１２の内部領域に設け、該短距離通信信号の強度分布を測定する。短距離信号強度の増加程度を知るためには、異なる設置組合せを試すことができる。例えば、腕時計の外部で信号強度分布を測定することができる。
【００５７】
ステップＳ９６：測定された強度分布から選定強度分布及び該選定強度分布に対応する磁気遮蔽層の設置組合せを決定する。このステップにおいて、測定されたデータから比較的強い又は好ましい信号強度分布を選定強度分布として決定し、該選定強度分布に対応する設置組合せを得ることができる。つまり、決定した設置組合せに応じて磁気遮蔽層６０をこのタイプの腕時計に取り付けることにより、このタイプの腕時計の短距離通信信号の強度増加を最適化し、感知距離を増大させることができる。
【００５８】
この方法により、短距離通信信号の強度増加を最適化できる設置組合せを確定することができ、腕時計への短距離通信機能の結合を実現することができる。
【００５９】
図１１に示される実施例は、実体の時針を有する腕時計１０に適用され、タッチ表示パネル２１により時間を表示する腕時計１０’にも適用される。
【００６０】
上記の磁気遮蔽層により短距離通信信号の強度を増加する方法は、図１０の方法と結合して信号強度をさらに増加させてもよく、さらに図９の方法と結合して信号強度の調整を実現してもよい。
【００６１】
以上のように、本発明は好ましい実施例により開示されたが、これは本発明を限定するものではなく、本発明の属する技術分野における当業者であれば、本発明の要旨を逸脱しない精神及び範囲内において、種々の変更と潤色が可能であることは勿論であるため、本発明の保護範囲は添付する特許請求の範囲により準拠される。
【符号の説明】
【００６２】
１０、１０’    腕時計
１２      時計ケース
１４      時計表面
１６      ダイアル
１７      底蓋
１８      実体の目盛り
２０      実体のインジケータ
２１      タッチ表示パネル
２２      ムーブメント
２４      短距離通信モジュール
５１      第１領域
５２      第２領域
６０、６４    磁気遮蔽層
６２      ギャップ
２４１     コイル
２４２     セキュリティチップ
２４３     増幅器
２４４     コントローラー
２４５     透明導電膜
２４６     プロセッサ
２４７     セキュリティチップ
５０１     導電線
５０２     導電ユニット
Ｓ７０〜Ｓ７２    ステップ
Ｓ８０〜Ｓ８８    ステップ
Ｓ９０〜Ｓ９６    ステップ
【図１】
2019066470.tif 000003
【図２】
2019066470.tif 000004
【図３Ａ】
2019066470.tif 000005
【図３Ｂ】
2019066470.tif 000006
【図４】
2019066470.tif 000007
【図５】
2019066470.tif 000008
【図６】
2019066470.tif 000009
【図７】
2019066470.tif 000010
【図８】
2019066470.tif 000011
【図９】
2019066470.tif 000012
【図１０】
2019066470.tif 000013
【図１１】
2019066470.tif 000014
【図１２】
2019066470.tif 000015